(57)【要約】【課題】操作者が電磁ロックの解錠、解錠中、施錠を確認しやすくする。【解決手段】本発明の現金処理機は、所定の操作に基づいて現金の入出金処理を行う装置である。前記現金処理機内部に設けられた現金を取扱う現金ユニット部と、前記現金ユニット部を外部に露出させるための扉部と、前記扉部を施錠する電磁ロックと、音声または光の少なくとも一方を出力することにより前記電磁ロックが解錠または施錠されたことを通知する通知手段と、前記現金処理機を制御する制御部とを備えた。【選択図】      図４
2014110003.tif 000002
【特許請求の範囲】
【請求項１】
所定の操作に基づいて現金の入出金処理を行う現金処理機において、
前記現金処理機内部に設けられた現金を取扱う現金ユニット部と、
前記現金ユニット部を外部に露出させるための扉部と、
前記扉部を施錠する電磁ロックと、
音声または光の少なくとも一方を出力することにより前記電磁ロックが解錠または施錠されたことを通知する通知手段と、
前記現金処理機を制御する制御部とを備えることを特徴とする現金処理機。
【請求項２】
請求項１に記載の現金処理機において、
上記電磁ロックの解錠時に操作者に解錠したことを示す音声が、言葉、警報音又はメロディーであることを特徴とする現金処理機。
【請求項３】
請求項１に記載の現金処理機において、
上記電磁ロックの解錠中に、上記通知手段により操作者に上記電磁ロックの解錠中を通知する音声又は光の少なくとも一方を出力することを特徴とする現金処理機。
【請求項４】
請求項３に記載の現金処理機において、
上記音声が、開錠時よりも小さい音量の声、警報音又はメロディーであることを特徴とする現金処理機。
【請求項５】
請求項１に記載の現金処理機において、
上記電磁ロックを解錠した後、上記扉部が開けられずに一定時間経過した場合に、上記電磁ロックを施錠し、その旨の音声又は光の少なくとも一方を出力することを特徴とする現金処理機。
【請求項６】
請求項１に記載の現金処理機において、
操作者を認証するための認証手段を備え、
上記認証後の取引中に障害が発生した場合に、上記電磁ロックの開錠が選択されたとき、前回の認証から所定時間内であれば再度の認証を不要として上記電磁ロックを開錠することを特徴とする現金処理機。
【請求項７】
請求項１に記載の現金処理機において、
上記電磁ロックの施錠時の音声が、操作者に施錠を促すと共に、上記電磁ロックが施錠されたときに施錠された旨を通知する音声であることを特徴とする現金処理機。
【請求項８】
請求項７に記載の現金処理機において、
上記音声が操作者に対して警告をするための音であって、扉部が閉まる前後、電磁ロックが施錠される前後で、上記音の出力を変えることを特徴とする現金処理機。
【請求項９】
請求項８に記載の現金処理機において、
上記音声が、扉部を開いているときは音量を小さくし、扉部を閉じた後は音量を大きくすることを特徴とする現金処理機。
【請求項１０】
請求項１に記載の現金処理機において、
上記光が、扉部を開いているときは扉部を閉じているときよりも弱く点灯し又は消灯し、扉部を閉じた後は光を点滅させると共に、施錠されたときに扉部を開いているときよりも強く点灯させることを特徴とする現金処理機。
【請求項１１】
請求項１に記載の現金処理機において、
上記光が、扉部を開いているときは扉部を閉じているときよりも弱く点灯し又は消灯し、扉部を閉じた後は扉部を開いているときよりも強く点灯し又は点滅し、施錠されたときに施錠前とは異なる色彩や明るさで点灯し又は点滅から点灯に切り換わることを特徴とする現金処理機。
【請求項１２】
電磁ロックを備えた現金処理機の電磁ロック状況通知方法において、
上記電磁ロックの解錠又は施錠時に、操作者に前記電磁ロックが解錠または施錠されたことを示す音声又は光の少なくとも一方を出力することを特徴とする現金処理機の電磁ロック状況通知方法。
【発明の詳細な説明】
【技術分野】
【０００１】
この発明は、現金処理機における、電磁ロックの解錠及び施錠の状況を、操作者へ伝える現金処理機及び電磁ロック状況通知方法に関するものである。
【背景技術】
【０００２】
一般に、現金処理機においては、特定の人物のみが現金処理機内部にアクセスすることができるように、現金を取り出すための扉や引き出しを施錠する電磁ロック等の施錠手段を実装している。
【０００３】
この電磁ロックを解錠するタイミングとしては、現金処理機内部の現金の回収や清掃、保守作業等がある。即ち、現金の回収、装置内部の清掃、ジャムを取り除く場合等に、作業者は現金処理機を操作して電磁ロックを解錠することで、扉を開く。
【０００４】
このような電磁ロックを実装した現金処理機の例としては、特許文献１の現金管理装置がある。
【先行技術文献】
【特許文献】
【０００５】
【特許文献１】特開２００５−３８０６２号公報
【特許文献２】特開２００６−３４８６７６号公報
【発明の概要】
【発明が解決しようとする課題】
【０００６】
しかしながら、例えばシリンダ錠や南京錠のような物理的な錠キーを用いた施錠手段の解錠・施錠と異なり、電磁ロックは解錠・施錠時における見た目の変化が少ない。このため、操作者が解錠・施錠を実感しにくいという問題があった。
【０００７】
特に、施錠時の見た目の変化が少ないのが問題となる。物理錠による施錠の状態を確認する場合は、例えば鍵穴の角度を見ることで施錠の状態を確認できる。また、作業終了後に扉を閉めて施錠するまで、物理錠を鍵穴に差し込んだままにしたりする等の態様により、施錠時の見た目の変化が分かりやすい。そのため、施錠忘れは起きにくい。
【０００８】
しかし、電磁ロックの場合は、施錠時に見た目の変化が少ないため、施錠忘れにつながりやすい。そして、施錠忘れが起きると、現金に関するトラブルを誘発する可能性が高くなるという問題があった。
【０００９】
これに対して、扉の閉め忘れを防止する警報手段を備えた装置として、特許文献２の電気錠装置がある。この電気錠装置の場合、扉を閉めた時点では施錠を確実に確認できるものではない。この電気錠装置は、扉の開放後、所定時間が経過すると、警報を作動させて扉の閉め忘れを報知するというものであるため、警報作動前に作業者が立ち去ってしまった場合、警報に気づかない可能性がある。よって、扉を閉めた時点で、施錠し忘れを確実に防ぐことはできない。
【００１０】
この特許文献２の場合、扉を閉めた後、自動的に施錠されるまでの間は、扉が解錠状態になるため、特許文献２の発明を現金処理機に適用しても、現金トラブルを誘発する可能性が高くなるという問題があった。
【課題を解決するための手段】
【００１１】
本発明の現金処理機は、所定の操作に基づいて現金の入出金処理を行う現金処理機において、前記現金処理機内部に設けられた現金を取扱う現金ユニット部と、前記現金ユニット部を外部に露出させるための扉部と、前記扉部を施錠する電磁ロックと、音声または光の少なくとも一方を出力することにより前記電磁ロックが解錠または施錠されたことを通知する通知手段と、前記現金処理機を制御する制御部とを備えることを特徴とする。また、現金処理機の電磁ロック状況通知方法は、上記電磁ロックの解錠又は施錠時に、操作者に前記電磁ロックが解錠または施錠されたことを示す音声又は光の少なくとも一方を出力することを特徴とする。
【発明の効果】
【００１２】
上記構成により、電磁ロック等の操作を間違えることなく確実に行うことができる。
【図面の簡単な説明】
【００１３】
【図１】本発明の実施形態に係る現金処理機の外観を示す斜視図である。
【図２】本発明の実施形態に係る現金処理機内の処理システムを示す概略構成図である。
【図３】本発明の実施形態に係る現金処理機内の処理システムを示すブロック図である。
【図４】本発明の第１実施形態に係る現金処理機の電磁ロック状況通知方法を示すフローチャートである。
【図５】本発明の第２実施形態に係る現金処理機の電磁ロック状況通知方法を示すフローチャートである。
【図６】本発明の第３実施形態に係る現金処理機の電磁ロック状況通知方法を示すフローチャートである。
【図７】本発明の第４実施形態に係る現金処理機の電磁ロック状況通知方法を示すフローチャートである。
【図８】本発明の第５実施形態に係る現金処理機の電磁ロック状況通知方法を示すフローチャートである。
【発明を実施するための形態】
【００１４】
以下、本発明の実施形態に係る現金処理機及び電磁ロック状況通知方法について説明する。
【００１５】
まず、現金処理機について説明する。現金処理機は、所定の操作に基づいて現金の入出金処理を行う。図１は現金処理機の外観を示す斜視図である。
【００１６】
図１に示したように、現金処理機１の内部には、現金を取扱う現金ユニット部が設けられている。この現金ユニット部は主に、カード情報を読み取るためのカードリーダ部２と、操作者ＩＤ番号、操作者暗証番号、取引情報等の入力を行うタッチキー入力部３と、タッチキー入力部３から入力した情報等を表示するＬＣＤ画面表示部４と、売上金の紙幣入金等又は出金を行う紙幣入出金口５と、硬貨の入金を行う硬貨投入口６と、紙幣又は硬貨の入出金処理や回収処理等を行う紙幣ユニット部７及び硬貨ユニット部８と、案内音声や警報音等を発する通知手段としてのスピーカ部９とを備えて構成されている。
【００１７】
紙幣ユニット部７及び硬貨ユニット部８の前面には、扉部７Ａ、８Ａがそれぞれ設けられている。この扉部７Ａ、８Ａは、前記現金ユニット部を外部に露出させるための扉である。扉部７Ａ、８Ａには、取っ手７Ｂ、８Ｂそれぞれ設けられている。取っ手７Ｂ、８Ｂの近傍には、電磁ロック１１がそれぞれ設けられている。電磁ロック１１は、扉部７Ａ、８Ａを施錠するための装置である。電磁ロック１１としては、電磁ソレノイドで閂をスライドさせて解錠、施錠をする等の一般的なロック機構を用いることができる。取っ手７Ｂ、８Ｂの周囲には、電磁ロック１１の解錠、施錠を知らせる通知手段としてのＬＥＤ表示部１２が設けられている。通知手段は、音声または光の少なくとも一方を出力することにより前記電磁ロック１１が解錠または施錠されたことを通知するための手段である。なお、扉部８Ａの１３は硬貨の返却口、１４はレジの釣銭準備金を出金する出金口である。返却口１３、出金口１４のすぐ上には、ＬＥＤ表示部１５，１６が設けられている。ＬＥＤ表示部１５，１６は、返却口１３に返却される硬貨があるときや、出金口１４に出金する硬貨があるときに点灯又は点滅することで、硬貨の存在を操作者に知らせるようになっている。
【００１８】
次に、現金処理機１内の処理システムを説明する。図２は現金処理機１内の処理システムを示す概略構成図である。現金処理機１内は主に紙幣ユニット部７と硬貨ユニット部８とに分かれている。
【００１９】
紙幣ユニット部７には、入金された紙幣を鑑別する紙幣鑑別部１８、入金された紙幣を一時保留する紙幣一時保留部１９、売上金等を収納する回収カセット２０、万券を収納する万券カセット２１、五千券を収納する五千券カセット２２、千券を収納する千券カセット２３、紙幣鑑別部１８により正券と鑑別されなかった紙幣を収納するリジェクト部２４が組み込まれている。
【００２０】
硬貨ユニット部８には、入金された硬貨を鑑別する硬貨鑑別部２６、入金された硬貨を一時保留する硬貨一時保留部２７、売上入金取引での取引の取消時等に発生する返却硬貨を入れる硬貨返却箱２８、硬貨一時保留部２７の硬貨を金種ごとに収納して繰り出す出金ホッパ２９、出金ホッパ２９に収納された硬貨を回収する硬貨回収庫３０、釣銭用の硬貨を出金するための硬貨出金箱３１が組み込まれている。
【００２１】
硬貨鑑別部２６の上側には、現金処理機１を制御する制御部３３が設けられている。この制御部３３は、図３に示すように、カードリーダ部２、タッチキー入力部３、ＬＣＤ画面表示部４、紙幣ユニット部７、硬貨ユニット部８、扉部７Ａ、８Ａ、スピーカ部９等が接続され、現金処理機の各部を制御するようになっている。また、制御部３３には、タイマ(図示せず)の機能が組み込まれ、扉部７Ａ、８Ａの閉後に前記タイマで所定時間の経過を監視する。このタイマは、他の部分に設けたり、独立した装置として設けたりしてもよい。紙幣ユニット部７の扉部７Ａには、扉部７Ａの開閉を認識するための手段として近接センサ(図示せず)等が設けられていると共に、電磁ロック１１とＬＥＤ表示部１２が設けられている。また、扉部７Ａと同様に硬貨ユニット部８の扉部８Ａにも、開閉を認識する近接センサ(図示せず)等が設けられていると共に、電磁ロック１１とＬＥＤ表示部１２が設けられている。
【００２２】
そして、制御部３３には、図４〜８に示すフローチャートの機能が格納されている。
【００２３】
[第１実施形態]
次に、本発明の第1実施形態に係る電磁ロック状況通知処理機能を備えた現金処理機について、図４のフローチャートを基に説明する。
【００２４】
まず、現金処理機１のＬＣＤ画面表示部４は、管理者カードパス指示の誘導画面を表示しながら (ステップS１)、管理者カードパスが行われたか否かを判断する(ステップS２)。このとき、ＬＣＤ画面表示部４は管理者カードパスが行われるまで、管理者カードパス指示の誘導画面を表示し続けながら待機する。
【００２５】
操作者は、ＬＣＤ画面表示部４に表示された誘導画面を見て、取引者から預かったカード(図示せず)をカードリーダ部２に通す。管理者カードパスが行われれば、制御部３３は、カードから読み取ったデータを記憶部(図示せず)に一時記憶する。
【００２６】
このとき、管理者カードと異なるカードがカードリーダ部２に通された場合は、管理者カードでないことを操作者に通知してＳ１の処理に戻る。
【００２７】
次いで、カードリーダ部２に管理者カードが通された場合、ＬＣＤ画面表示部４をＩＤ入力画面に切り換える(ステップS３)。即ち、ＬＣＤ画面表示部４にＩＤ入力指示の誘導画面を表示する。操作者は、この画面を見て、タッチキー入力部３からＩＤを入力する。
【００２８】
次いで、制御部３３はタッチキー入力部３から入力されたＩＤが正しいか否かを判断する(ステップS４)。このときのＩＤの認証は、例えば図示しない記憶部に予めＩＤを記憶しておき、入力されたＩＤと比較するようにしてもよく、管理者カードから読み取ったＩＤと比較するようにしてもよい。
【００２９】
タッチキー入力部３からＩＤが入力されていない場合、又は入力されたＩＤが正しくないと判断した場合は、再びＩＤ入力指示の誘導画面を表示する(ステップS３)。入力されたＩＤが正しいと判断した場合は、ＬＣＤ画面表示部４を暗証番号入力画面に切り換える(ステップS５)。即ち、暗証番号入力指示の誘導画面を表示する。操作者は、この画面を見て、タッチキー入力部３から暗証番号を入力する。
【００３０】
次いで、制御部３３はタッチキー入力部３から入力された暗証番号が正しいか否かを判断する(ステップS６)。このときの暗証番号の認証は、例えば図示しない記憶部に予め暗証番号を記憶しておき、入力された暗証番号と比較するようにしてもよく、管理者カードから読み取った暗証番号と比較するようにしてもよい。暗証番号が入力されていない場合、又は入力された暗証番号が正しくないと判断した場合は、再び暗証番号入力指示の誘導画面を表示する(ステップS５)。入力された暗証番号が正しいと判断した場合は、扉部７Ａ，７Ｂの電磁ロック１１を解錠する(ステップＳ７)。
【００３１】
次いで、電磁ロック１１が解錠されたことを示す音声をスピーカ部９より出力し(ステップＳ８)、ＬＥＤ表示部１２，１５，１６を光らせて解錠状態を表示する(ステップＳ９)。これにより、操作者は電磁ロック１１の解錠を認識して扉部７Ａ、８Ａを開けて現金処理機１の内部にアクセスすることを可能にする(ステップＳ１０)。
【００３２】
そして、操作者は、現金の収納されたカセットの回収や、保守作業を行う。
【００３３】
ステップＳ８において、スピーカ部９より出力する音声としては、音、声（ガイダンス）のいずれでもよい。例えば、ステップＳ８において解錠した旨の音声（ガイダンス）を出力したり、警報音やメロディーを短時間だけ出力したりするようにしてもよい。また、解錠後も解錠状態になっていることを操作者に意識させるために、音声（ガイダンス）、警報音、メロディーを連続して、または組み合わせて出力するようにしてもよい。
【００３４】
また、ステップＳ９において、解錠した旨を知らせるために、ＬＥＤ表示部１２を短時間だけ点灯や点滅させたり、連続して点灯、点滅させたりしてもよい。このときのＬＥＤ表示部１２の点灯又は点滅のさせかたは、電磁ロック１１の解錠前と解錠後とで違いが明確になるように、例えば解錠前は消灯もしくは赤色で点灯させ、解錠後は点灯か点滅、もしくは青色で点灯させるようにすればよく、この逆であってもよい。また、扉部７Ａ、８Ａを開けた後は、扉部７Ａ、８Ａを閉めるまで施錠を意識する必要がないため、スピーカ部９から出力する音声等及びＬＥＤ表示部１２の光の出力を小さくするようにしてもよい。
【００３５】
以上のように、本実施形態によれば、見た目の変化が少ない電磁ロック１１の解錠であっても、スピーカ部９及びＬＥＤ表示部１２により解錠を操作者に知らせることによって、操作者が解錠を確認しやすくなる。
【００３６】
なお、上記ステップＳ１０において、操作者が実行しようとする作業の手順に沿って、音声で作業手順を案内するようにしてもよい。例えば、(1)扉を開けてください、(2)カセットの固定を解除してください、(3)カセットを引き出してください、(4)新しいカセットを挿入してください、(5)扉を閉めてください、(6)施錠してください等の案内音声を出力してもよい。また、装置内部にＬＥＤ表示部を設けておき、手順に沿って操作する部分のＬＥＤ表示部を光らせるようにしてもよい。これは、装置内が暗い場合に特に有効である。さらに、上記音声案内に合わせて、操作する部分のＬＥＤ表示部を光らせるようにしてもよい。この音声や光での案内は、特に、ジャム発生の場合に有効である。ジャムが発生した状況や、ジャムの発生場所に応じて、ジャムの除去手順やジャムの発生場所等を、音声や光で案内するようにしてもよい。即ち、ジャムの発生場所に到達するまでの手順、ジャムの除去手順、ジャム除去後の手順を、音声で案内したり、各手順に沿ってその場所のＬＥＤ表示部を光らせたりしてもよい。
【００３７】
このようにすることで、操作者が現金処理機１の操作に慣れていない場合でも、音声や光で操作を案内することで、操作を間違えることなく確実に行うことができる。
【００３８】
[第２実施形態]
次に、本発明の第２実施形態について説明する。本実施形態は、現金処理機１において、上記第１実施形態での現金アクセス完了後の処理である。以下に、現金処理機１の現金アクセス完了後の処理について図５のフローチャートを基に説明する。
【００３９】
現金アクセスが完了した後、扉部７Ａ、８Ａが閉められたことを確認し(ステップＳ１１)、現金アクセスを完了する(ステップＳ１２)。即ち、制御部３３は操作者が扉部７Ａ、８Ａを閉めたことを近接センサ等で検知して、操作者がタッチキー入力部３により現金アクセス完了を入力することで、現金アクセス完了と判断して現金アクセス完了処理を行う。
【００４０】
次いで、電磁ロック１１を施錠して(ステップＳ１３)、スピーカ部９より音声を出力し(ステップＳ１４)、ＬＥＤ表示部１２を光らせる(ステップＳ１５)。
【００４１】
スピーカ部９から出力される音声としては、「扉が閉まりました。」、「タッチキー入力部３から現金アクセス完了を入力してください。」「現金アクセスが完了しました。」、「電磁ロック１１を施錠してください。」「電磁ロック１１が施錠されました。」等の言葉を用いることができる。このスピーカ部９から出力される音声は、操作者に施錠を促すと共に、電磁ロック１１により扉部７Ａ、８Ａが施錠されたときに施錠された旨を通知する音声案内である。この音声案内によって操作者に施錠を促し、施錠された旨を通知することにより、操作者に施錠を強く意識させて、確実に施錠されるように誘導する。
【００４２】
また、電磁ロック１１が施錠されたことを示す音声としては、警告音やメロディー等の、操作者に対して警告をするための音でもよい。この場合、現金アクセスが完了する前後、扉部７Ａ、８Ａが閉まる前後、電磁ロック１１が施錠さる前後で、それぞれ警告音等の大きさや音色等の音の出力を変えるように制御してもよい。例えば、扉部７Ａ、８Ａを開いているときは小さく、カセット回収後に扉部７Ａ、８Ａを閉じた後は大きくして、その後の施錠を意識させて促すようにしてもよい。
【００４３】
ＬＥＤ表示部１２を光らせる場合も同様である。扉部７Ａ、８Ａを開いているときはＬＥＤ表示部１２を弱く点灯させ又は消灯させ、カセット回収後に扉部７Ａ、８Ａを閉じた後は操作者に施錠を促すようにＬＥＤ表示部１２を強く又は通常の明るさで点滅させ、施錠されたときに施錠された旨を通知するように点灯させてもよい。さらに、扉部７Ａ、８Ａを開いているときは弱く点灯させ又は消灯させ、カセット回収後に扉部７Ａ、８Ａを閉じた後は、操作者に施錠を促すように強く点灯又は点滅させ、施錠されたときに施錠された旨を通知するように施錠前と別の色彩や明るさで点灯させ又は点滅から点灯に切り換えてもよい。
【００４４】
さらに、扉部７Ａ、８Ａを閉めた後、前記制御部３３のタイマにより、設定時間経過したら自動的に施錠するようにしてもよい。
【００４５】
スピーカ部９から出力される音声やＬＥＤ表示部１２の光で施錠を確認した操作者は、操作を完了する。
【００４６】
以上のように、本実施形態によれば、見た目の変化が少ない電磁ロック１１の施錠であっても、スピーカ部９及びＬＥＤ表示部１２により施錠を表現することによって、操作者が施錠を確認しやすくなる。
【００４７】
この結果、施錠を忘れることがなくなり、現金に関するトラブルを防止することができる。
【００４８】
[第３実施形態]
次に、本発明の第３実施形態について説明する。本実施形態は、現金処理機１において、扉部７Ａ、８Ａの電磁ロック１１の解錠中の処理である。
【００４９】
現金処理機１の構成は上記第１実施形態と同様であるため、以下では、現金処理機１の扉部７Ａ、８Ａの電磁ロック１１の解錠中の処理のみについて図６のフローチャートを基に説明する。
【００５０】
図６のフローチャートにおいて、電磁ロック１１を解錠する(ステップＳ７)までは、上記第１実施形態と同様である。このため、ステップＳ１〜Ｓ７までは、説明を省略する。
【００５１】
本実施形態では、電磁ロック１１の解錠後、スピーカ部９より電磁ロック１１が解錠中であることを知らせる音声を出力し、ＬＥＤ表示部１２を光らせる(ステップＳ２１)。ここで、解錠中を知らせる音声としては、音量を小さくした声（ガイダンス）、警報音又はメロディーを用いることができる。解錠中は、操作者は通常、扉部７Ａ、８Ａを開いて作業をしているため、解錠中であることを軽く意識させる程度で済むことが多い。このため、音量を小さくした声（ガイダンス）で、「解錠中です。」等の音声を出力する。また、音量を小さくした警報音又はメロディーを出力してもよい。なお、操作者が解錠中に現金処理機１から離れる可能性がある場合は、音量を大きくした声（ガイダンス）、警報音又はメロディーを出力してもよい。
【００５２】
次いで、制御部３３は電磁ロック１１が解錠中か否かを判断する(ステップＳ２２)。解錠中の場合は、上記ステップＳ２１に戻り、スピーカ部９より解錠中を知らせる音声を出力し、ＬＥＤ表示部１２を光らせる。操作者が現金へのアクセスを完了して電磁ロック１１を施錠した場合は、上記ステップＳ２２で電磁ロック１１は解錠中でないと判断して、処理を終了する。
【００５３】
以上のように、本実施形態では、見た目の変化が少ない電磁ロック１１であっても、スピーカ部９及びＬＥＤ表示部１２により電磁ロック１１が解錠中であることを操作者に知らせることによって、現金管理機が解錠状態にあることを、操作者が認識しやすくなり、施錠忘れを防止するといった効果が得られる。
【００５４】
[第４実施形態]
次に、本発明の第４実施形態について説明する。本実施形態は、現金処理機１において、扉部７Ａ、８Ａの電磁ロック１１を解錠したにも関わらず、操作者が扉部７Ａ、８Ａを開けずに放置した場合の処理である。この処理を図７のフローチャートを基に説明する。
【００５５】
図７のフローチャートにおいて、ステップＳ１〜ステップＳ９までは、上述した第１実施形態と同様であるため、ここでは説明を省略する。
【００５６】
ステップＳ９で制御部３３は、ＬＥＤ表示部１２を光らせて電磁ロック１１の解錠状態を表示した後、扉部７Ａ、８Ａを開けたか否かを近接センサにより判断する(ステップＳ３１)。扉部７Ａ、８Ａを開けたと判断した場合は、現金にアクセス、回収を可能にする(ステップＳ３２)。
【００５７】
制御部３３は近接センサの検知結果により、操作者が扉部７Ａ、８Ａを開けていないと判断した場合は、タイマにより一定時間経過したか否かを判断する(ステップＳ３３)。この一定時間は、現金処理機１毎や現金処理機１が設置されている場所等の諸条件によって異なるが、例えば電磁ロック１１を解錠した時点から数十秒〜数分程度である。
【００５８】
一定時間経過していない場合は、ステップＳ３１に戻り、扉部７Ａ、８Ａを開けたか否かを引き続き監視する。扉部７Ａ、８Ａが開けられたことを近接センサで検知されないまま一定時間経過した場合は、スピーカ部９より電磁ロック１１を施錠する旨を通知する(ステップＳ３４)。
【００５９】
次いで、再び扉部７Ａ、８Ａを開けたか否かを判断する(ステップＳ３５)。扉部７Ａ、８Ａが開けられたと判断した場合は、現金にアクセス、回収を可能にする(ステップＳ３２)。
【００６０】
扉部７Ａ、８Ａが開けられていないと判断した場合は、電磁ロック１１を施錠して(ステップＳ３６)、スピーカ部９より音声を出力し(ステップＳ３７)、ＬＥＤ表示部１２を光らせる(ステップＳ３８)。
【００６１】
スピーカ部９から出力される音声としては、「電磁ロック１１が施錠されました。」、「一定時間経過したため電磁ロック１１が施錠されました。」等の音声案内や、電磁ロック１１が施錠されたことを示す警告音、メロディーを出力する。また、音声案内の前に、警告音、メロディーを出力して、操作者の注意を喚起するようにしてもよい。
【００６２】
以上のように、本実施形態では、現金処理機１において、扉部７Ａ、８Ａの電磁ロック１１を解錠したにも関わらず、扉部７Ａ、８Ａを開けずに放置した場合、一定時間後に強制的に電磁ロック１１を施錠してしまうことで、施錠忘れを防止して、現金に関するトラブルを防止することができる。
【００６３】
[第５実施形態]
次に、本発明の第５実施形態について説明する。本実施形態は、管理者が取引を実施していて、障害が発生した場合やその他の理由により、扉部７Ａ、８Ａを開けたい場合、再度のカードパスを不要としたものである。この処理を図８のフローチャートを基に説明する。
【００６４】
図８のフローチャートは、管理者取引中にジャム等の障害が発生して扉部７Ａ、８Ａを開けたい場合や、その他の理由により扉部７Ａ、８Ａを開けたい場合に、呼び出すサブルーチンである。
【００６５】
制御部３３は、取引中に障害等が発生した場合、操作者により電磁ロックの解錠が選択されたか否かを判断する(ステップS４１)。解錠が選択されていない場合は、タイマにより一定時間経過したか否かを判断する(ステップS４２)。この一定時間は、上述した場合と同様に、現金処理機１毎や現金処理機１が設置されている場所等の諸条件によって異なるが、例えばＩＤが認証された時点から数十秒〜数分程度である。
【００６６】
一定時間経過していない場合は、ステップS４１に戻って、解錠が選択されたか否かを引き続き監視する。そして、解錠が選択されないまま一定時間経過した場合は、管理者取引へ戻る。
【００６７】
ステップS４１で操作者により電磁ロック１１の解錠が選択された場合は、電磁ロック１１を解錠する(ステップＳ４３)。次いで、電磁ロック１１が解錠されたことを示す音声をスピーカ部９より出力し(ステップＳ４４)、ＬＥＤ表示部１２を光らせて解錠状態を表示する(ステップＳ４５)。次いで、管理者取引へ戻る。
【００６８】
これにより、管理者が取引を実行中に扉部７Ａ、８Ａを開けたい場合に、再度のカードパスを不要として煩雑な作業を解消した。これにより、現金処理機１の操作性が向上する。
【００６９】
さらに、再度のカードパスを不要とする時間を一定時間に区切ったため、煩雑な作業を解消して現金処理機１の操作性を向上させた上に、安全性も確保することができる。
【００７０】
[変形例]
上記各実施形態では、音声の出力と光の点灯又は点滅の両方を連続して行うようにしたが、いずれか一方のみを行うようにしてもよい。
【００７１】
上記実施形態では、電磁ロック１１の解錠、施錠を知らせる通知手段としてのＬＥＤ表示部１２を、扉部７Ａ、８Ａの取っ手７Ｂ、８Ｂの周囲に設けたが、扉部７Ａ、８Ａの他の部分に設けてもよい。ＬＥＤ表示部１２を、作業者の目につくように、種々の形状にし、種々の位置に設けるようにしてもよい。ＬＥＤ表示部１２を扉部７Ａ、８Ａの裏面に設けてもよい。
【００７２】
上記実施形態では、ＬＥＤ表示部１２を光らせたが、返却口１３、出金口１４のＬＥＤ表示部１５，１６も同時に光らせるようにしてもよい。
【００７３】
また、現金処理機１としては種々のものがあるが、電磁ロック１１を備えた現金処理機１全てに本願発明を適用することができる。
【００７４】
また、本発明の態様としては、上述した実施形態及び変形例に限定されるものではなく、当業者が想到しうる種々の変形、各実施形態及び変形例の組み合わせも含むものであり、本発明の効果も上述した内容に限定されない。すなわち、特許請求の範囲に規定された内容およびその均等物から導き出される本発明の概念的な思想と趣旨を逸脱しない範囲で種々の追加、変更、組み合わせおよび部分的削除等が可能である。
【符号の説明】
【００７５】
１：現金処理機、２：カードリーダ部、３：タッチキー入力部、４：ＬＣＤ画面表示部、５：紙幣投入口、６：硬貨投入口、７：紙幣ユニット部、７Ａ：扉部、７Ｂ：取っ手、８：硬貨ユニット部、８Ａ：扉部、８Ｂ：取っ手、９：スピーカ部、１１：電磁ロック、１２：ＬＥＤ表示部、１３：返却口、１４：出金口、１５，１６：ＬＥＤ表示部、１８：紙幣鑑別部、１９：紙幣一時保留部、２０：回収カセット、２１：万券カセット、２２：五千券カセット、２３：千券カセット、２４：リジェクト部、２６：硬貨鑑別部、２７：硬貨一時保留部、２８：硬貨返却箱、２９：出金ホッパ、３０：硬貨回収庫、３１：硬貨出金箱、３３：制御部。
【図１】
2014110003.tif 000003
【図２】
2014110003.tif 000004
【図３】
2014110003.tif 000005
【図４】
2014110003.tif 000006
【図５】
2014110003.tif 000007
【図６】
2014110003.tif 000008
【図７】
2014110003.tif 000009
【図８】
2014110003.tif 000010